(57)【要約】【課題】交流電源から供給される交流電力の電圧のゼロクロスを検出し、該検出結果に基づいて瞬時停電の状況を認識可能にすることを少ない部品点数の構成によって実現する。【解決手段】交流電源Ｋに並列に接続される複数の電源回路７６、８０と、複数の電源回路７６、８０と共に交流電源Ｋに並列に接続され、交流電源Ｋから入力される交流電力の電圧のゼロクロスを検出するゼロクロス回路７４と、ゼロクロス回路７４から入力される検出結果に基づいて電源回路７６、８０毎の出力保持時間を超えてゼロクロスを検出できなかった回数をカウントして記憶するカウント手段７１、７２、７３とを具備する。【選択図】図３
2014149343.tif 000002
【特許請求の範囲】
【請求項１】
交流電源に並列に接続される複数の電源回路と、
前記複数の電源回路と共に前記交流電源に並列に接続され、前記交流電源から入力される交流電力の電圧のゼロクロスを検出するゼロクロス回路と、
前記ゼロクロス回路から入力される検出結果に基づいて前記電源回路毎の出力保持時間を超えてゼロクロスを検出できなかった回数をカウントして記憶するカウント手段とを具備することを特徴とする瞬断検出装置。
【請求項２】
前記カウント手段は、前記回数をカウントすると共に時刻をリンクさせて記憶することを特徴とする請求項１に記載される瞬断検出装置。
【請求項３】
前記カウント手段は、外部から入力された指示によって設定を変更することで、前記指示によって指定された時間を超えてゼロクロスを検出できなかった回数をカウントして記憶することを特徴とする請求項１または２に記載される瞬断検出装置。
【請求項４】
請求項１〜３のいずれか一項に記載の瞬断検出装置を備えることを特徴とする画像形成装置。
【発明の詳細な説明】
【技術分野】
【０００１】
本発明は、瞬断検出装置及び画像形成装置に関する。
【背景技術】
【０００２】
複写機等の画像形成装置は、その設置箇所に関して、電源事情の悪い箇所（電圧変動が大きい、また交流電源電圧の１サイクルが抜けてしまう瞬時停電が発生する箇所）に設置されることがある。例えば、電源回路によって駆動されるＡＳＩＣ（Application Specific Integrated Circuit）等のデバイスにリセット回路が設けられている装置では、瞬時停電による電源の電圧降下が発生してリセット動作が働く場合がある。このような瞬時停電を検出するものとして、下記特許文献１には、電圧の降下が復活するまでの時間を計測し、瞬時停電か完全停電かの判別を行うと共に、電圧降下時には蓄電池による電源供給を行う瞬時停電検出装置が開示されている。また、下記特許文献２には、負荷電流、漏洩電流、線間電圧を複数の電流/電圧クランプで計測し、予め設定した値と比較することで、異常状態を検出する電源監視レコーダーが開示されている。また、下記特許文献３には、ゼロクロス回路による検出結果とＰＬＬ（Phase Locked Loop）回路での位相差により瞬時停電状態を検出する停電検出回路が開示されている。
【先行技術文献】
【特許文献】
【０００３】
【特許文献１】特公昭６１−１１５３８号公報
【特許文献２】特開平５−２６４２９６号公報
【特許文献３】特開２００４−１１２８８８号公報
【発明の概要】
【発明が解決しようとする課題】
【０００４】
ところで、上記特許文献１に記載された瞬時停電検出装置は、複数の電源回路を備えるものには、各電源回路に設ける必要があるので、実装面積が大きくなると共にコストアップにつながるという問題があった。また、上記特許文献１に記載の瞬時停電検出装置は、上記特許文献３に開示された技術のようにゼロクロス回路を用いて瞬時停電を検出するものではない。また、上記特許文献２に開示された電源監視レコーダーは、上記特許文献１に記載の瞬時停電検出装置と同様、ゼロクロス回路による検出結果を用いて瞬時停電を検出するものではない。また、上記特許文献３に開示された停電検出回路では、ゼロクロス回路に加えてＰＬＬ回路を必要とするので、回路規模や部品占有率の増大が懸念される。
【０００５】
本発明は、上述した事情に鑑みてなされたものであり、交流電源から供給される交流電力の電圧のゼロクロスを検出し、該検出結果に基づいて瞬時停電の状況を認識可能にすることを少ない部品点数の構成によって実現することを目的とする。
【課題を解決するための手段】
【０００６】
上記目的を達成するために、本発明では、瞬断検出装置に係る第１の解決手段として、交流電源に並列に接続される複数の電源回路と、複数の電源回路と共に交流電源に並列に接続され、交流電源から入力される交流電力の電圧のゼロクロスを検出するゼロクロス回路と、ゼロクロス回路から入力される検出結果に基づいて電源回路毎の出力保持時間を超えてゼロクロスを検出できなかった回数をカウントして記憶するカウント手段とを具備する、という手段を採用する。
【０００７】
本発明では、瞬断検出装置に係る第２の解決手段として、上記第１の解決手段において、カウント手段は、回数をカウントすると共に時刻をリンクさせて記憶する、という手段を採用する。
【０００８】
本発明では、瞬断検出装置に係る第３の解決手段として、上記第１または第２の解決手段において、カウント手段は、外部から入力された指示によって設定を変更することで、指示によって指定された時間を超えてゼロクロスを検出できなかった回数をカウントして記憶する、という手段を採用する。
【０００９】
本発明では、画像形成装置に係る第４の解決手段として、上記第１〜第３のいずれか１つの解決手段において、上記第１〜第３のいずれか１つの解決手段を採用する瞬断検出装置を備える、という手段を採用する。
【発明の効果】
【００１０】
本発明によれば、交流電源に並列に接続される複数の電源回路と、複数の電源回路と共に電源に並列に接続され、交流電源から入力される交流電力の電圧のゼロクロスを検出するゼロクロス回路と、ゼロクロス回路から入力される検出結果に基づいて電源回路毎の出力保持時間を超えてゼロクロスを検出できなかった回数をカウントして記憶するカウント手段とを具備することによって、交流電源から供給される交流電力の電圧のゼロクロスを検出し、該検出結果に基づいて瞬時停電の状況を認識可能にすることを少ない部品点数の構成によって実現できる。
【図面の簡単な説明】
【００１１】
【図１】本発明の一実施形態に係る複合機Ａの機能ブロック図である。
【図２】本発明の一実施形態における画像形成部４の機械構成を示す模式図である。
【図３】本発明の一実施形態における制御部７の回路図である。
【図４】本発明の一実施形態に係る複合機Ａの動作を示すフローチャートである。
【発明を実施するための形態】
【００１２】
本実施形態に係る複合機Ａは、電子写真方式に基づいて記録紙に画像を形成する画像形成装置であり、図１に示すように、操作表示部１、画像読取部２、画像データ記憶部３、画像形成部４、通信部５、ＵＳＢ（Universal Serial Bus）通信部６及び制御部７（瞬断検出装置）を備える。なお、図１における点線矢印は、データの流れを示し、実線矢印は、制御信号、検出信号及び電力の流れを示す。
【００１３】
操作表示部１は、操作表示制御部１１、ハードウェアキーである操作キー１２及びソフトウェアキーや各種画像を表示するタッチパネル１３を備えており、ユーザーと複合機Ａとを関係付けるマンマシンインターフェイスとして機能する。
操作表示制御部１１は、制御部８による制御の下で、上記操作キー１２及びタッチパネル１３を制御する制御装置であり、演算処理装置、内部メモリー及び電気的に相互接続された操作キー１２及びタッチパネル１３と信号の送受信を行うインターフェイス回路等から構成されており、内部メモリーに記憶された操作表示制御プログラムに基づいて操作表示部１の全体動作を制御する。
【００１４】
例えば、この操作表示制御部１１は、タッチパネル１３に表示信号を出力することによりタッチパネル１３に操作ボタンや各種画像を表示させる。また、操作表示制御部１１は、操作キー１２またはタッチパネル１３から入力される操作信号に基づいていずれの操作キー１２またはタッチパネル１３に表示される操作ボタンが操作されたか判定し、判定結果に基づいて操作結果信号を制御部８に出力する。
【００１５】
操作キー１２は、ハードウェアキーとして操作表示部１に物理的に備えられたものであり、例えば、電源キー、スタートキー、ストップ／クリアキー及びテンキー（数値入力キー）等がある。操作キー１２では、ユーザーによって上述した各キーが押下されると、各キーから操作信号を操作表示制御部１１に出力する。
【００１６】
タッチパネル１３は、周知のように表示パネルの表示面に抵抗膜方式等の透明な面状押圧センサーを設けたものであり、操作表示制御部１１から入力される表示信号に基づいて表示パネルに表示した操作ボタンをユーザーの指等によって押圧されると、面状押圧センサーが押圧位置（押圧座標）を示す操作信号を操作表示制御部１１に出力するものである。
【００１７】
画像読取部２は、図２に示すようにＡＤＦ（Automatic document feeder：自動原稿送り装置）２１及びフラットベッド読取部２２から構成されており、制御部７から入力される制御信号に基づいてＡＤＦ２１により給紙される原稿またはユーザーによりフラットベッド読取部２２上に載置された原稿の表面画像（原稿画像）を読み取って原稿画像データに変換し、この原稿画像データを画像データ記憶部３に出力する。
【００１８】
画像データ記憶部３は、半導体メモリーまたはハードディスク装置等であり、制御部７から入力される制御信号に基づいて上記原稿画像データ、通信部５が外部のクライアントコンピューターから受信するプリント画像データあるいは通信部５が外部のファクシミリ装置から受信するファクシミリ画像データを記憶すると共に、これら画像データを制御部７から入力される制御信号に基づいて読み出して画像形成部４に出力する。
【００１９】
画像形成部４は、制御部７から入力される制御信号に基づいて、給紙カセット４５から取り出した記録紙Ｐに画像データ記憶部３から読み出した画像データに基づくトナー画像を画像形成するものである。この画像形成部４は、図２に示すように、ベルトローラー４１、中間転写ベルト４２、トナーの各色（Ｙ，Ｃ，Ｍ，Ｋ）に対応する４つの画像形成ユニット４３Ｙ，４３Ｃ，４３Ｍ，４３Ｋ、１次転写ローラー４４Ｙ，４４Ｃ，４４Ｍ，４４Ｋ、給紙カセット４５、ピックアップローラー４６、搬送ローラー４７、レジストローラー４８、２次転写ローラー４９、分離除電部５０、定着ローラー５１、排紙ローラー５２、排紙トレイ５３、反転ローラー５４、分岐ガイド５５、３対の反転紙搬送ローラー５６及び記録紙センサー５７を備えている。
【００２０】
ベルトローラー４１は、図示するように、離間して配設された３つのローラー、つまり駆動ローラー４１ａ、従動ローラー４１ｂ及びテンションローラー４１ｃからなる。すなわち、駆動ローラー４１ａと従動ローラー４１ｂとは水平方向に一定距離を空けて配置され、テンションローラー４１ｃは、このような駆動ローラー４１ａと従動ローラー４１ｂとの間かつ若干上方に変位した位置に配置されている。中間転写ベルト４２は、このようなベルトローラー４１（駆動ローラー４１ａ、従動ローラー４１ｂ、テンションローラー４１ｃ）に架け渡された無端ベルトであり、駆動ローラー４１ａによって矢印で示す方向に走行する。
【００２１】
すなわち、中間転写ベルト４２は、駆動ローラー４１ａと従動ローラー４１ｂとの間においては水平方向に走行する。また、上述した駆動ローラー４１ａは、駆動力を発生するモーターが軸結合されたローラーであり、モーターの動力によって中間転写ベルト４２を矢印方向に走行させる。上記従動ローラー４１ｂは、自由回転するように設けられたフリーローラーであり、中間転写ベルト４２を駆動ローラー４１ａの動力に従って案内する。また、上記テンションローラー４１ｃは、回転軸が可動可能に設けられ、所定の付整力で中間転写ベルト４２を押圧することにより一定のテンション（張力）を中間転写ベルト４２に付与するローラーである。
【００２２】
画像形成ユニット４３Ｙ，４３Ｃ，４３Ｍ，４３Ｋは、図示するように、上述した中間転写ベルト４２の水平走行部位に所定間隔を空けて設けられている。これら画像形成ユニット４３Ｙ，４３Ｃ，４３Ｍ，４３Ｋのうち、画像形成ユニット４３Ｙは、イエロー（Ｙ）のトナー画像を形成するユニットであり、従動ローラー４１ｂに最も近い位置に設けられている。画像形成ユニット４３Ｃは、シアン（Ｃ）のトナー画像を形成するユニットであり、上記画像形成ユニット４３Ｙの次に従動ローラー４１ｂに近い位置に設けられている。画像形成ユニット４３Ｍは、マゼンダ（Ｍ）のトナー画像を形成するユニットであり、上記画像形成ユニット４３Ｃの次に従動ローラー４１ｂに近い位置に設けられている。画像形成ユニット４３Ｋは、ブラック（Ｋ）のトナー画像を形成するユニットであり、駆動ローラー４１ａに最も近い位置に設けられている。
【００２３】
このような画像形成ユニット４３Ｙ，４３Ｃ，４３Ｍ，４３Ｋは、各々に感光体ドラムａｙ，ａｃ，ａｍ，ａｋ、帯電部ｂｙ，ｂｃ，ｂｍ，ｂｋ、レーザースキャニングユニットｃｙ，ｃｃ，ｃｍ，ｃｋ、現像ユニットｄｙ，ｄｃ，ｄｍ，ｄｋ及びクリーナーｅｙ，ｅｃ，ｅｍ，ｅｋを構成要素としている。
【００２４】
すなわち、画像形成ユニット４３Ｙは、感光体ドラムａｙ、帯電部ｂｙ、レーザースキャニングユニットｃｙ、現像ユニットｄｙ及びクリーナーｅｙから構成され、画像形成ユニット４３Ｃは、感光体ドラムａｃ、帯電部ｂｃ、レーザースキャニングユニットｃｃ、現像ユニットｄｃ及びクリーナーｅｃから構成され、画像形成ユニット４３Ｍは、感光体ドラムａｍ、帯電部ｂｍ、レーザースキャニングユニットｃｍ、現像ユニットｄｍ及びクリーナーｅｍから構成され、画像形成ユニット４３Ｋは、感光体ドラムａｋ、帯電部ｂｋ、レーザースキャニングユニットｃｋ、現像ユニットｄｋ及びクリーナーｅｋから構成されている。
【００２５】
各感光体ドラムａｙ，ａｃ，ａｍ，ａｋは、周面が所定の感光体材料（例えばアモルファスシリコン）で形成された円筒部材である。各帯電部ｂｙ，ｂｃ，ｂｍ，ｂｋは、各感光体ドラムａｙ，ａｃ，ａｍ，ａｋの周面（感光面）を均一に帯電させるものである。各レーザースキャニングユニットｃｙ，ｃｃ，ｃｍ，ｃｋは、帯電状態の上記感光面にレーザー光を照射することにより、感光面に静電潜像を形成するものである。
【００２６】
各現像ユニットｄｙ，ｄｃ，ｄｍ，ｄｋは、内部に所定の量のトナー（正極性トナー）を収容すると共に当該トナーを感光面に供給することにより当該感光面に形成された静電潜像をトナー画像として現像する。各クリーナーｅｙ，ｅｃ，ｅｍ，ｅｋは、トナー画像の転写後の感光面に残留するトナー（残留トナー）を掻き落として除去するものである。
【００２７】
１次転写ローラー４４Ｙ，４４Ｃ，４４Ｍ，４４Ｋは、図示するように画像形成ユニット４３Ｙ，４３Ｃ，４３Ｍ，４３Ｋに対応して４つ設けられており、各々に中間転写ベルト４２を挟んだ状態で各画像形成ユニット４３Ｙ，４３Ｃ，４３Ｍ，４３Ｋの感光体ドラムａｙ，ａｃ，ａｍ，ａｋに対向配置されている。また、各１次転写ローラー４４Ｙ，４４Ｃ，４４Ｍ，４４Ｋには負極性の１次転写バイアス（高電圧）が印加されており、各１次転写ローラー４４Ｙ，４４Ｃ，４４Ｍ，４４Ｋは、この１次転写バイアスの作用によって各画像形成ユニット４３Ｙ，４３Ｃ，４３Ｍ，４３Ｋの感光体ドラムａｙ，ａｃ，ａｍ，ａｋにそれぞれ形成された各色のトナー画像を中間転写ベルト４２に転写（１次転写）させる。
【００２８】
給紙カセット４５は、Ａ４サイズやＢ５サイズ等、所定形状の記録紙Ｐを複数枚重ねた状態で収容する容器である。ピックアップローラー４６は、給紙カセット４５の上部において記録紙Ｐに圧接するように設けられ、給紙カセット４５内の記録紙Ｐを１枚づつ取り出して搬送ローラー４７に送り出すローラーである。搬送ローラー４７は、ピックアップローラー４６から給紙された記録紙Ｐをレジストローラー４８に向けて搬送するローラーである。レジストローラー４８は、搬送ローラー４７から供給された記録紙Ｐを所定のタイミングで２次転写ローラー４９に供給するローラーである。
【００２９】
２次転写ローラー４９は、中間転写ベルト４２を挟んで駆動ローラー４１ａに対向配置されたローラーであり、中間転写ベルト４２上のトナー画像を記録紙Ｐに転写（２次転写）させるものである。この２次転写ローラー４９には、負極性の２次転写バイアス（高電圧）が印加されており、２次転写ローラー４９は、この２次転写バイアスの作用によって中間転写ベルト４２上のトナー画像を記録紙Ｐに転写（２次転写）させる。
【００３０】
分離除電部５０は、制御部７から入力される制御信号に基づいて記録紙Ｐに向けて正極性の除電バイアスを供給する。この除電バイアスは、記録紙Ｐの帯電を中和して無帯電状態にするためのものであり、記録紙Ｐの２次転写ローラー４９からの分離を良好にするものである。分離除電部５０は、ステンレスからなる鋸歯状電極を有し、この鋸歯状電極の先端付近に電界を形成して記録紙Ｐを除電する。
【００３１】
定着ローラー５１は、内部にヒータを備えた加熱ローラー５１ａと、当該加熱ローラー５１ａに圧接する加圧ローラー５１ｂとから構成されている。この定着ローラー５１は、加熱ローラー５１ａと加圧ローラー５１ｂとで各色のトナー画像が転写された記録紙Ｐを挟み込むことにより記録紙Ｐを加熱及び加圧して、各色のトナー画像を記録紙Ｐ上に定着させる。加熱ローラー５１ａ及び加圧ローラー５１ｂは、記録紙Ｐと接触する接触面（表面）が摩擦により負極性に帯電するフッ素系材料によって形成されている。すなわち、加熱ローラー５１ａ及び加圧ローラー５１ｂは、その表面が記録紙Ｐとの摩擦により負極性に帯電する。
【００３２】
排紙ローラー５２は、定着ローラー５１から搬送されると共に分岐ガイド５５により案内された記録紙Ｐを排紙トレイ５３に向けて搬送するローラーである。排紙トレイ５３は、排紙ローラー５２から供給された記録紙Ｐを収容・保持する収容部である。反転ローラー５４は、定着ローラー５１から搬送されると共に分岐ガイド５５により案内された記録紙Ｐをスイッチバック搬送するためのローラーである。つまり、反転ローラー５４は、正転することにより定着ローラー５１から供給された記録紙Ｐを挟み込み、当該挟みこんだ状態で逆転することにより記録紙Ｐを反転紙搬送ローラー５６に向けて搬送する。
【００３３】
分岐ガイド５５は、制御部７から入力される制御信号に基づいて定着ローラー５１から排出された記録紙Ｐの搬送先を排紙ローラー５２または反転ローラー５４に択一的に切り替える。つまり、分岐ガイド５５は、記録紙Ｐを排紙トレイ５３に排紙する場合には、第１の姿勢（図示する点線の姿勢）とすることにより記録紙Ｐの搬送先を排紙ローラー５２とし、一方、第２の姿勢（図示する実線の姿勢）とすることにより記録紙Ｐの搬送先を反転ローラー５４に切り替える。
【００３４】
反転紙搬送ローラー５６は、反転ローラー５４から供給された記録紙Ｐをレジストローラー４８に向けて搬送するための搬送経路（反転経路）に設けられたローラーである。この反転紙搬送ローラー５６は、図示するように、反転経路において離間した３箇所に設けられている。記録紙センサー５７は、定着ローラー５１と分岐ガイド５５との間に配置され、定着ローラー５１を通過した記録紙Ｐの枚数を検出し、当該枚数を示す検出信号を制御部７に出力する。
【００３５】
このように画像形成部４では、記録紙Ｐの表面と裏面とにトナー画像を形成する両面画像形成処理が、上記反転ローラー５４、分岐ガイド５５及び反転紙搬送ローラー５６が機能することにより実行される。つまり、記録紙Ｐは、表面に画像形成されて定着ローラー５１を通過すると、表面と裏面とが反転させられた状態でレジストローラー４８に再度供給されて、裏面に画像形成される。
【００３６】
通信部５は、制御部７から入力される制御信号に基づいて電話回線を介して外部の複合機Ａあるいはファクシミリ装置、またＬＡＮ（Local Area Network）を介してクライアントコンピューター等と通信を行うものである。すなわち、この通信部５は、イーサネット（登録商標）等のＬＡＮ規格に準拠した通信機能と、Ｇ３等のファクシミリ規格に準拠した通信機能とを兼ね備えたものである。
【００３７】
ＵＳＢ通信部６は、ＵＳＢ規格に対応して通信を行う通信装置であり、ＵＳＢポート６ａを有する。ＵＳＢポート６ａは、サービスマンによってＵＳＢケーブルを介してサービスマン専用端末Ｂ（例えばノート型パーソナルコンピューター）と電気的に接続される。これにより、ＵＳＢ通信部６は、制御部７の制御の下、サービスマン専用端末Ｂとの間で信号を送受信する。
【００３８】
制御部７は、図３に示すように、ＲＯＭ（Read Only Memory）７１、ＲＡＭ（Random Access Memory）７２、ＣＰＵ（Central Processing Unit）７３、ゼロクロス回路７４、第１のフィルタ回路７５、第１の電源回路７６、第１のＡＳＩＣ（Application Specific Integrated Circuit）７７、第１のリセット回路７８、第２のフィルタ回路７９、第２の電源回路８０、第２のＡＳＩＣ８１及び第２のリセット回路８２を備えており、上記ＲＯＭ７１に記憶された制御プログラムに基づいて各部と通信を行うと共に各部に電力を供給することにより複合機Ａの全体動作を制御する。なお、ＲＯＭ７１、ＲＡＭ７２及びＣＰＵ７３は、本実施形態におけるカウント手段を構成する。
【００３９】
ＲＯＭ７１は、ＣＰＵ７３で実行される制御プログラム及びその他のデータを記憶する不揮発性メモリーである。
ＲＡＭ７２は、ＣＰＵ７３が制御プログラムを実行して各種動作を行う際に、データの一時保存先となるワーキングエリアとして用いられる揮発性メモリーである。
【００４０】
ＣＰＵ７３は、ＲＯＭ７１に記憶されている制御プログラムに基づき、操作表示部１が受け付ける操作指示及び通信部５が外部のクライアントコンピューター等から受信する各種指示に応じて複合機Ａの全体動作を制御する。詳細については後述するが、ＣＰＵ７３は、各種の制御処理の一環として、後述するゼロクロス回路７４から入力される検出結果に基づいて第１の電源回路７６及び第２の電源回路８０毎の出力保持時間（詳細については後述）を超えて交流電力の電圧のゼロクロスを検出できなかった回数をカウントしてＲＯＭ７１に記憶させる。
【００４１】
ゼロクロス回路７４は、第１のフィルタ回路７５を介して第１の電源回路７６や第２のフィルタ回路７９を介して第２の電源回路８０と共に交流電源Ｋに並列に接続され、交流電源Ｋから入力される交流電力の電圧のゼロクロスを検出するものである。
第１のフィルタ回路７５は、入力端が交流電源Ｋに接続され、出力端が第１の電源回路７６に接続され、交流電源Ｋから供給される交流電力における高調波成分を除去して第１の電源回路７６に出力する。
【００４２】
第１の電源回路７６は、入力端が第１のフィルタ回路７５に接続され、出力端が第１のＡＳＩＣ７７に接続され、第１のフィルタ回路７５から供給された交流電力の電圧を調整すると共に、交流電力を直流電力に変換して第１のＡＳＩＣ７７に出力する。例えば、この第１の電源回路７６は、１００ｍｓの出力保持時間を有する。つまり、第１の電源回路７６は、交流電源Ｋにおける１００ｍｓ未満の瞬断であれば、途切れることなく第１のＡＳＩＣ７７に電力を供給し続けることができる。
【００４３】
第１のＡＳＩＣ７７は、所定の用途向けに設けられた集積回路であり、第１の電源回路７６から供給される直流電力に基づいて動作する。
第１のリセット回路７８は、第１の電源回路７６から第１のＡＳＩＣ７７に供給される直流電力を監視し、第１の電源回路７６から第１のＡＳＩＣ７７に直流電力が供給されない場合には、第１のＡＳＩＣ７７にリセット信号を出力する。
【００４４】
第２のフィルタ回路７９は、入力端が交流電源Ｋに接続され、出力端が第２の電源回路８０に接続され、交流電源Ｋから供給される交流電力における高調波成分を除去して第２の電源回路８０に出力する。
第２の電源回路８０は、入力端が第２のフィルタ回路７９に接続され、出力端が第２のＡＳＩＣ８１に接続され、第２のフィルタ回路７９から供給された交流電力の電圧を調整すると共に、交流電力を直流電力に変換して第２のＡＳＩＣ８１に出力する。例えば、この第２の電源回路８０は、５００ｍｓの出力保持時間を有する。つまり、第２の電源回路８０は、交流電源Ｋにおける５００ｍｓ未満の瞬断であれば、途切れることなく第２のＡＳＩＣ８１に電力を供給し続けることができる。
【００４５】
第２のＡＳＩＣ８１は、所定の用途向けに設けられた集積回路であり、第２の電源回路８０から入力される直流電力に基づいて動作する。
第２のリセット回路８２は、第２の電源回路８０から第２のＡＳＩＣ８１に供給される直流電力を監視し、第２の電源回路８０から第２のＡＳＩＣ８１に交流電力が供給されない場合には、第２のＡＳＩＣ８１にリセット信号を出力する。
【００４６】
次に、このように構成された複合機Ａの動作について図４を参照して説明する。
ゼロクロス回路７４は、図示しない電源スイッチがＯＮ状態となって、交流電源Ｋからの電力供給が開始されると、交流電源Ｋから供給される交流電力の電圧によるゼロ地点（ゼロクロス点）の通過（ゼロクロス）を検出し、このゼロクロスを示すゼロクロス検出信号をＣＰＵ７３に出力する。
【００４７】
ＣＰＵ７３は、ゼロクロス回路７４から入力されるゼロクロス信号に基づいて第１の電源回路７６及び第２の電源回路８０毎の出力保持時間（第１の電源回路７６の場合は１００ｍｓ、第２の電源回路８０の場合は５００ｍｓ）を超えてゼロクロスを検出したか否か判定する（ステップＳ１）。ＣＰＵ７３は、第１の電源回路７６及び第２の電源回路８０毎の出力保持時間を超えてゼロクロスを検出できなかった場合（ＮＯの場合）、第１の電源回路７６及び第２の電源回路８０毎の出力保持時間を超えてゼロクロスを検出できなかった回数をカウントしてＲＯＭ７１に記憶させる（ステップＳ２）。
【００４８】
例えば、ＣＰＵ７３は、前回のゼロクロスから第１の電源回路７６の出力保持時間１００ｍｓ経過してもゼロクロス信号に基づいて次のゼロクロスを検出できなかった場合には、第１の電源回路７６の出力保持時間を超えてゼロクロスを検出できなかった回数（第１の未検出回数）をカウントアップする。また、ＣＰＵ７３は、前回のゼロクロスから第２の電源回路８０の出力保持時間５００ｍｓ経過してもゼロクロス信号に基づいて次のゼロクロスを検出できなかった場合には、第２の電源回路８０の出力保持時間を超えてゼロクロスを検出できなかった回数（第２の未検出回数）をカウントアップする。
【００４９】
さらに、ＣＰＵ７３は、第１の未検出回数や第２の未検出回数と共に、第１の未検出回数や第２の未検出回数をカウントアップした時刻（カウント時刻）も一緒にＲＯＭ７１に記憶させる（ステップＳ３）。そして、ＣＰＵ７３は、通信部５を介して外部（外部装置）にサービスコールを送信する（ステップＳ４）。
【００５０】
サービスマンは、送信されたサービスコールを認識すると、複合機Ａの元を訪れ、複合機Ａの補修を実施する。その際、サービスマンは、複合機ＡのＵＳＢ通信部６のＵＳＢポート６ａにＵＳＢケーブルを介してサービスマン専用端末Ｂを接続する。そして、サービスマンは、サービスマン専用端末Ｂを操作して、エラー情報として第１の未検出回数、第２の未検出回数及びカウント時刻等を複合機Ａから取り出す。つまり、複合機ＡのＣＰＵ７３は、ＵＳＢ通信部６がサービスマン専用端末Ｂからエラー情報取得要求を受信すると、第１の未検出回数、第２の未検出回数及びカウント時刻等のエラー情報をＵＳＢ通信部６を介してサービスマン専用端末Ｂに出力する。
【００５１】
サービスマンは、サービスマン専用端末Ｂに表示される第１の未検出回数や第２の未検出回数によって瞬時停電が発生する頻度を認識することができ、また、カウント時刻によって瞬時停電が発生する時刻を確認できる。例えば、ある時間帯に第１の未検出回数や第２の未検出回数が集中的にカウントアップされている場合には、その時間帯に起こる事象が瞬時停電を引き起こす要因となっていると導き出すことができる。
【００５２】
一方、ＣＰＵ７３は、ステップＳ１の処理において、第１の電源回路７６及び第２の電源回路８０毎の出力保持時間を超える前にゼロクロスを検出した場合には（ＹＥＳの場合）、第１の未検出回数や第２の未検出回数をカウントアップしない。
【００５３】
このような本実施形態によれば、第１の電源回路７６及び第２の電源回路８０と共に交流電源Ｋに並列に接続され、交流電源Ｋから入力される交流電力の電圧のゼロクロスを検出するゼロクロス回路７４と、ゼロクロス回路７４から入力される検出結果に基づいて第１の電源回路７６及び第２の電源回路８０毎の出力保持時間を超えてゼロクロスを検出できなかった回数をカウントしてＲＯＭ７１に記憶させるＣＰＵ７３とを具備することによって、交流電源Ｋから供給される交流電力の電圧のゼロクロスを検出し、該検出結果に基づいて瞬時停電の状況を認識可能にすることを少ない部品点数（１つのゼロクロス回路７４）の構成によって実現できる。つまり、本実施形態によれば、従来のように、ゼロクロス回路７４以外に他の回路（例えばＰＬＬ回路）を設けたり、または複数の電源回路を備える場合に、各電源回路にゼロクロス回路７４を設けたりする必要がないので、部品点数を少なくできる。
【００５４】
以上、本発明の実施形態について説明したが、本発明は上記実施形態に限定されることなく、例えば以下のような変形が考えられる。
（１）上記実施形態では、第１の未検出回数及び第２の未検出回数にカウント時刻をリンクさせて記憶したが、カウント時刻をリンクさせずに第１の未検出回数及び第２の未検出回数のみを記憶するようにしてもよい。
【００５５】
（２）上記実施形態では、第１の電源回路７６及び第２の電源回路８０毎の出力保持時間を超えてゼロクロスを検出できなかった回数をカウントしているが、第１の電源回路７６や第２の電源回路８０の出力保持時間ではなく、操作表示部１が受け付けた操作指示やサービスマン専用端末Ｂから入力された指示によって設定を変更することで、これら指示によって指定された時間を超えてゼロクロスを検出できなかった回数をカウントして記憶するようにしてもよい。
【００５６】
（３）上記実施形態では、本発明を適用した瞬断検出装置（制御部７）を画像形成装置である複合機Ａに搭載したが、この瞬断検出装置を、画像形成装置の他に、種々の電子機器に搭載することができる。
【符号の説明】
【００５７】
Ａ…複合機、１…操作表示部、２…画像読取部、３…画像データ記憶部、４…画像形成部、５…通信部、６…ＵＳＢ通信部、７…制御部（瞬断検出装置）、１１…操作表示制御部、１２…操作キー、１３…タッチパネル、２１…ＡＤＦ、２２…フラットベッド読取部、４１ａ，４１ｂ，４１ｃ…ベルトローラー、４２…中間転写ベルト、４３Ｙ，４３Ｃ，４３Ｍ，４３Ｋ…画像形成ユニット、４４Ｙ，４４Ｍ，４４Ｃ，４４Ｋ…１次転写ローラー、４５…給紙カセット、４６…ピックアップローラー、４７…搬送ローラー、４８…レジストローラー、４９…２次転写ローラー、５０…分離除電部、５１…定着ローラー、５２…排紙ローラー、５３…排紙トレイ、５４…反転ローラー、５５…分岐ガイド、５６…反転紙搬送ローラー、５７…記録紙センサー、ａｙ，ａｍ，ａｃ，ａｋ…感光体ドラム、ｂｙ，ｂｍ，ｂｃ，ｂｋ…帯電部、ｃｙ，ｃｍ，ｃｃ，ｃｋ…レーザースキャニングユニット、ｄｙ，ｄｍ，ｄｃ，ｄｋ…現像ユニット、ｅｙ，ｅｍ，ｅｃ，ｅｋ…クリーナー、５１ａ…加熱ローラー、５１ｂ…加圧ローラー、６ａ…ＵＳＢポート、７１…ＲＯＭ、７２…ＲＡＭ、７３…ＣＰＵ、７４…ゼロクロス回路、７５…第１のフィルタ回路、７６…第１の電源回路、７７…第１のＡＳＩＣ、７８…第１のリセット回路、７９…第２のフィルタ回路、８０…第２の電源回路、８１…第２のＡＳＩＣ、８２…第２のリセット回路、Ｐ…記録紙、Ｂ…サービスマン専用端末
【図１】
2014149343.tif 000003
【図２】
2014149343.tif 000004
【図３】
2014149343.tif 000005
【図４】
2014149343.tif 000006